(57)【要約】【課題】  縦置き密閉型圧縮機用モータにおいて、バランスウェイトにロータに放射状に凹部を設けることで潤滑油の減少が少なくまた部品点数を増やすことなく容易に製造可能な回転子を有し且つ騒音・振動を防止することを目的とする。【解決手段】  略円筒形のロータの少なくとも上端にバランスウェイトを設け、前記バランスウェイトの上端部に略円形の板からなるオイルセパレータを設け、前記バランスウェイトと前記オイルセパレータは、リベットピン等によりロータに固定され、前記バランスウェイトは、ロータ回転軸に放射状に凹部を設けオイルセパレータと接する構造としたものである。【選択図】  図１
2006271104.tif 000002
【特許請求の範囲】
【請求項１】
環状のヨークと前記ヨークの内周部に略等間隔に略半径方向に配置された複数のティースを有し、隣接する前記ティースの間に巻線用溝（スロット）が設けられたステータ鉄心の前記ティースに巻線を施してなるステータと、前記ステータの内周に僅かな空隙を介して対向し、回転自在に保持されたロータにより構成される縦置き密閉型圧縮機用モータにおいて、前記ロータはバランスウェイトを有し、バランスウェイトの上端部に略円形の板からなるオイルセパレータを設け、前記バランスウェイトと前記オイルセパレータは、リベットピン等によりロータに固定される。前記バランスウェイトは真鎗ダイキャスト工法等で円筒に馬蹄形のバランス部を一体で形成し、且つ前記バランスウェイトは、ロータ回転軸に対し放射状に凹部を設けオイルセパレータと接する構造としたことを特徴とした密閉型圧縮機用モータ。
【発明の詳細な説明】
【技術分野】
【０００１】
本発明は、冷凍機器（冷蔵庫、冷凍庫、製氷機、ショーケース、自販機）、空気調和機（エアーコンディショナー、除湿機）等に用いられる縦置き密閉型圧縮機用モータの構造に関する。
【背景技術】
【０００２】
従来、縦置き密閉型圧縮機用モータは、ステータとロータとからなり、圧縮機の密閉ケーシング内に配設されると共に、このモータの下部に、前記ロータから延びる駆動軸で回転駆動される圧縮部を配設する一方、前記ケーシングの上部または側面に吐出管を接続して、この吐出管から前記圧縮部で圧縮された冷媒ガスを外部に吐出するようにしている。
【０００３】
また、前記駆動軸の内部または周囲には、一方が前記ケーシング内底部の油溜に臨み、他方が前記ロータの上部側に開放される油通路を形成して、この油通路を介して前記圧縮部の摺接部位などに給油する一方、前記ロータの上部側に、このロータと所定間隔をおいてオイルセパレータを対向状に配設し、このオイルセパレータで前記油通路の上部側に至った潤滑油が、前記圧縮部にて圧縮されることなく直接前記吐出管に至るのを阻止して、この潤滑油が冷媒ガスと共に前記吐出管から排出されるのを阻止するようにしている。また更にこのオイルセパレータで前記油通路の上部側に至った潤滑油がオイルセパレータ下面に当って、ロータ上部端面とオイルセパレータの隙間から遠心力によってロータの径方向にとばされ、ステータとロータの間のエアギャップ、ステータ外周部の通路などを通ってケーシング内底の油溜に戻っていた。
【０００４】
前記ロータが、リベットピンなどを用いる永久磁石型ロータの場合、前記オイルセパレータは、例えば、特開平５−２２７６８７号に示されるように、ロータの上部端面と前記オイルセパレータとの間に、一定間隔を保つための間隔保持手段を設けて固定するようにしている。（例えば、特許文献１参照）
【特許文献１】特開平５−２２７６８７号公報
【発明の開示】
【発明が解決しようとする課題】
【０００５】
しかしながら上記構成においては、特別な加工を施したリベットピン、または、スペーサなどの間隔保持手段が余分に必要であり、生産性、生産コスト等の面から問題があった。またロータのバランスを適正にするためのバランスウェイトが無いため振動・騒音に不具合が生じる問題もあった。
【０００６】
また更に最近は高効率化のため薄い板厚の電磁銅板を使用することが多くなり鉄損が少なく高効率となる反面、鉄板の剛性が小さいためひずみなど精度が課題となる、そのためリベットでのかしめのみではかしめ応力を受ける面積が小さいため変形が生じ問題が出てきた。本発明は、これらの課題を解決するものである。
【課題を解決するための手段】
【０００７】
上記課題を解決するために本発明は、略円筒形のロータの少なくとも上端にバランスウェイトを設け、前記バランスウェイトの上端部に略円形の板からなるオイルセパレータを設け、前記バランスウェイトと前記オイルセパレータは、リベットピン等によりロータに固定され、前記バランスウェイトは、真輸ダイキャスト工法等で円筒に馬蹄形のバランス部を一体で形成すると伴に、ロータ回転軸に対し放射状に凹部を設けオイルセパレータと接する構造としたものである。
【発明の効果】
【０００８】
本発明の密閉型圧縮機用モータは、バランスウェイトを真鍮ダイキャスト工法等で円筒に馬蹄形のバランス部を一体で形成し前記円筒面でコア端面を受けることにより薄い板厚の電磁銅板を積層したことでひずみ易いロータコアの精度を確保することが出来、且つバランスウェイトにロータ回転軸に対し放射状に凹部を設けオイルセパレータと接する構造としたことでリベットに特別な加工なしに、容易にオイルセパレータを取りつけることができる。またバランスウェイトの凹部とオイルセパレータの隙間から遠心力によって潤滑油と冷媒ガスがロータの径方向にとばされ、ステータとロータの間のエアギャップ、ステータ外周部の通路などを通ってケーシング内底の油溜に戻る。
【発明を実施するための最良の形態】
【０００９】
以下、本発明の実施例を、図面を参照しながら説明する。
【実施例】
【００１０】
図１は本発明のロータの分解斜視図、図２は本発明の圧縮機用モータの断面図である。
【００１１】
略円筒形のステータ１と、前記ステータ１の内径に対向し、回転自在に保持された略
円筒形のロータ２からなる。ロータ２は、打抜かれたｔＯ．３〜ｔＯ．２の板厚の電磁鋼鋲を積層してなるロータコア３内部に永久磁石４を埋設してなる。前記ロータコア３の下端には、端板５を配し、上端にはバランスウェイト６を設ける。前記バランスウェイト６は真鍮ダイキャスト工法等で円筒に馬蹄形のバランス部を一体で形成し前記円筒面でコア端面を受けることにより薄い板厚の電磁鋼板を積層したことでひずみ易いロータコアの精度を確保することが出来る。また前記バランスウェイト６の上面にロータ回転軸に対し放射状に凹部７を設けている。さらに、前記バランスウェイト６の上部に略円形に加工された板からなるオイルセパレータ８を設けている。
【００１２】
前記バランスウイエト６には、略９０度の間隔に４箇所のリベットピン用孔を設け、ロータコア３、端板５、オイルセパレータ８を貰通する位置にも同様のリベットピン用孔を設けリベットピン１０を通して固定することができる。本構成により、リベットピンに特別な加工を施したり、バランスウェイトの無い部分においてオイルセパレータを固定するための特別な部品を設けたりする必要が無く、生産性が向上する。
【産業上の利用可能性】
【００１３】
本発明の密閉型圧縮機用モータは潤滑油と冷媒ガスをロータの遠心力でロータの径方向にとばし潤滑油を回収する機構として有用である。
【図面の簡単な説明】
【００１４】
【図１】本発明の実施例におけるロータの分解斜視図
【図２】本発明の実施例における圧縮機用モータの断面図
【図３】従来のロータの分解斜視図
【図４】従来の圧縮機用モータの断面図
【符号の説明】
【００１５】
１  ステータ
２  ロータ
３  ロータコア
４  永久磁石
５  端板
６  バランスウェイト
７  バランスウェイト凹部
８  オイルセパレータ
９  スベーサ
１０  リベットピン
１１  駆動軸
１２  油通路
１３  潤滑油
１４  吐出管
１５  ケーシング
１６  油溜
【図１】
2006271104.tif 000003
【図２】
2006271104.tif 000004
【図３】
2006271104.tif 000005
【図４】
2006271104.tif 000006